【事件の表示】
　特願２０１８−　３６５８３「操作端末および補助パネル」拒絶査定不服審判事件〔令和　１年　９月１２日出願公開、特開２０１９−１５２９７４、請求項の数（７）〕について、次のとおり審決する。
【結　論】
　原査定を取り消す。
　本願の発明は、特許すべきものとする。
【理　由】
第１　手続の経緯
　本願は、平成３０年３月１日の出願であって、その手続の経緯は以下のとおりである。
　令和２年　２月１７日付け　：拒絶理由通知書
　令和２年　４月１６日　　　：意見書、手続補正書の提出
　令和２年　７月２７日付け　：拒絶査定（原査定）
　令和２年１０月２２日　　　：審判請求書、手続補正書の提出
第２　原査定の概要
　原査定（令和２年７月２７日付け拒絶査定）の概要は次のとおりである。
　本願請求項１〜２、５〜６、８〜９に係る発明は、以下の引用文献１〜３に基づいて当業者が容易に発明できたものである。また、本願請求項３〜４に係る発明は、以下の引用文献１〜４に基づいて当業者が容易に発明できたものである。また、本願請求項７に係る発明は、以下の引用文献１〜５に基づいて当業者が容易に発明できたものである。したがって、本願請求項１〜９に係る発明は、特許法第２９条第２項の規定により特許を受けることができない。
　引用文献等一覧
　１．特開２０１５−５５９３８号公報
　２．特開２００９−２７６９７８号公報
　３．特開２００７−７２６６０号公報
　４．特開２０００−３０５６１４号公報
　５．特開２０１０−２５０６７５号公報
第３　本願発明
　本願請求項１〜７に係る発明（以下、それぞれ「本願発明１」〜「本願発明７」という。）は、令和２年１０月２２日の手続補正で補正された特許請求の範囲の請求項１〜７に記載された事項により特定される発明であり、本願発明１〜本願発明７は以下のとおりの発明である。
「【請求項１】
　操作対象に対して入力を行う操作端末であって、
　入力面を有するタッチパネル部と、
　操作者による前記入力面に対する入力動作に対応して操作信号を出力する出力部と、
を備え、
　前記入力動作が、前記入力面に接触する接触要素を前記入力面上において所定の円環状の移動経路上にて移動させる移動動作を含み、
　前記入力面は、
　前記移動経路において円周状に等角度間隔にて断続的に配列される複数の区切り部と、
　前記移動経路の径方向外側に配置される円環状の凸部である外ガイド要素と、
　前記移動経路の径方向内側に配置される凸部であって、前記外ガイド要素との間に前記移動経路を挟む内ガイド要素と、
を備え、
　前記複数の区切り部はそれぞれ、前記接触要素が接触する周囲の領域から突出する凸部であり、
　前記移動動作において、前記接触要素が前記複数の区切り部のうち一の区切り部から隣接する区切り部へと移動することにより、予め設定されている単位移動距離に応じた１パルスの操作信号が前記出力部によって出力されることを特徴とする操作端末。
【請求項２】
　操作対象に対して入力を行う操作端末であって、
　入力面を有するタッチパネル部と、
　操作者による前記入力面に対する入力動作に対応して操作信号を出力する出力部と、
を備え、
　前記入力動作が、前記入力面に接触する接触要素を前記入力面上において所定の円環状の移動経路上にて移動させる移動動作を含み、
　前記入力面は、
　前記移動経路において円周状に等角度間隔にて断続的に配列される複数の区切り部と、
　前記移動経路の径方向外側に配置される円環状の凸部である外ガイド要素と、
　前記移動経路の径方向内側に配置される凸部であって、前記外ガイド要素との間に前記移動経路を挟む内ガイド要素と、
を備え、
　前記複数の区切り部はそれぞれ、前記接触要素が接触する周囲の領域から凹む凹部であり、
　前記移動動作において、前記接触要素が前記複数の区切り部のうち一の区切り部から隣接する区切り部へと移動することにより、予め設定されている単位移動距離に応じた１パルスの操作信号が前記出力部によって出力されることを特徴とする操作端末。
【請求項３】
　請求項１または２に記載の操作端末であって、
　所定の位置まで押し込むことで操作信号の伝達が可能となるイネーブルスイッチをさらに備え、
　前記出力部は、前記イネーブルスイッチが所定の位置に押し込まれているときに、前記移動動作を操作信号しとて操作対象へと伝達することを特徴とする操作端末。
【請求項４】
　請求項１ないし３のいずれか１つに記載の操作端末であって、
　前記タッチパネル部が、
　タッチセンシティブ面を有するタッチパネル本体と、
　前記タッチセンシティブ面を覆うとともに前記入力面を有する透明な補助パネルと、
を備え、
　前記操作者による前記入力動作が、前記補助パネルを介して前記タッチセンシティブ面に対して行われることを特徴とする操作端末。
【請求項５】
　請求項１ないし４のいずれか１つに記載の操作端末であって、
　前記タッチパネル部が、前記移動経路上または前記移動経路に沿って所定間隔にて配列される複数の発光部を備え、
　前記移動動作における前記接触要素の移動に応じて前記複数の発光部の点灯状態が変化することを特徴とする操作端末。
【請求項６】
　操作対象に対して入力を行う操作端末となる汎用スマートデバイスのタッチセンシティブ面を覆う補助パネルであって、
　前記タッチセンシティブ面に接触する主面である接触面と、
　前記接触面とは反対側の主面である入力面と、
を備え、
　操作者による前記入力面に対する入力動作が、前記入力面に接触する接触要素を前記入力面上において所定の円環状の移動経路上にて移動させる移動動作を含み、
　前記入力面は、
　前記移動経路において円周状に等角度間隔にて断続的に配列される複数の区切り部と、
　前記移動経路の径方向外側に配置される円環状の凸部である外ガイド要素と、
　前記移動経路の径方向内側に配置される凸部であって、前記外ガイド要素との間に前記移動経路を挟む内ガイド要素と、
を備え、
　前記複数の区切り部はそれぞれ、前記接触要素が接触する周囲の領域から突出する凸部であり、
　前記移動動作において、前記接触要素が前記複数の区切り部のうち一の区切り部から隣接する区切り部へと移動することにより、予め設定されている単位移動距離に応じた１パルスの操作信号が前記出力部によって出力されることを特徴とする補助パネル。
【請求項７】
　操作対象に対して入力を行う操作端末となる汎用スマートデバイスのタッチセンシティブ面を覆う補助パネルであって、
　前記タッチセンシティブ面に接触する主面である接触面と、
　前記接触面とは反対側の主面である入力面と、
を備え、
　操作者による前記入力面に対する入力動作が、前記入力面に接触する接触要素を前記入力面上において所定の円環状の移動経路上にて移動させる移動動作を含み、
　前記入力面は、
　前記移動経路において円周状に等角度間隔にて断続的に配列される複数の区切り部と、
　前記移動経路の径方向外側に配置される円環状の凸部である外ガイド要素と、
　前記移動経路の径方向内側に配置される凸部であって、前記外ガイド要素との間に前記移動経路を挟む内ガイド要素と、
を備え、
　前記複数の区切り部はそれぞれ、前記接触要素が接触する周囲の領域から凹む凹部であり、
　前記移動動作において、前記接触要素が前記複数の区切り部のうち一の区切り部から隣接する区切り部へと移動することにより、予め設定されている単位移動距離に応じた１パルスの操作信号が前記出力部によって出力されることを特徴とする補助パネル。」
第４　引用文献、引用発明等
１．引用文献１について
（１）原査定の拒絶の理由に引用された引用文献１には、次の事項が記載されている。
「【０００５】
　機械式ボタンの操作によって情報入力を行う場合、操作者は、機械式ボタンを視認しながら情報入力できるとともに、機械式ボタンを視認しなくても機械式ボタンが指に触れる感覚によって情報入力することができる。
しかし、タッチ検出機能付き表示装置の表示面上での操作によって情報入力を行う場合、操作者は、表示面を視認しながらでなければ容易に情報入力をできない可能性がある。
表示面を視認できない状況においても、表示面上での操作による情報入力を容易にすることができるタッチ検出機能付き表示装置が望まれる
【０００６】
　本開示は、上記の課題に鑑みてなされたもので、表示面を視認できない状況においても、表示面上での操作による情報入力を容易にすることができるタッチ検出機能付き表示装置を提供することを目的とする。
【課題を解決するための手段】
【０００７】
　本開示によるタッチ検出機能付き表示装置は、
静電容量式のタッチ検出装置を有し、画像を表示する表示面を有する表示パネル
前記表示パネルの前記表示面側に重ねられ、前記表示パネルと対向する表面と反対側の表面である被タッチ表面の側に凹部または凸部を有するカバー材
【０００８】
　
本開示の電子機器は、上記タッチ検出機能付き表示装置を備えたものである。本開示の電子機器は、例えば、テレビジョン装置、デジタルカメラ、パーソナルコンピュータ、ビデオカメラあるいは携帯電話等の携帯端末装置などが該当
【発明の効果】
【０００９】
　本開示のタッチ検出機能付き表示装置及び電子機器は、
表示面を視認できない状況においても、表示面上での操作による情報入力を容易にすることができる
「【００１２】
＜１．実施形態（タッチ検出機能付き表示装置）＞
[１−１．実施形態１]
　図1は、実施形態１に係る
タッチ検出機能付き表示装置
表示パネルである液晶パネル３０と、緩衝層２０、カバー材１０と、を備えている。
「【００１４】
　
液晶パネル３０は、静電容量式のタッチ検出装置４０を有する。
【００１５】
　タッチ検出装置４０は、タッチ検出電極と電気的に接続されたタッチ検出部を有する。タッチ検出電極と駆動電極とが交差する部分の静電容量の変化は、タッチ検出信号としてタッチ検出部に入力される。
タッチ検出部は、駆動電極とタッチ検出電極とが交差する部分のうち、静電容量が変化した部分をタッチ検出信号に基づいて検出する。タッチ検出部は、タッチ検出信号に基づき、対象物がタッチ検出装置４０に接触または近接した位置を特定する。
【００１６】
　なお、実施形態１において、駆動電極とタッチ検出電極とが立体交差し、両者が対向する部分の静電容量の変化に基づきタッチを検出するが、静電容量が発生する位置は、両者が対向する部分に限定されるものではない。例えば、タッチ検出装置４０は、駆動電極から引き出された導体と、タッチ検出電極から引き出された導体とを同一平面に配置し、両方の導体の間に発生する静電容量に基づきタッチを検出してもよい。すなわち、タッチ検出装置４０は、駆動電極とタッチ検出電極との間に発生する静電容量に基づいてタッチを検出すればよい。
【００１７】
　
緩衝層２０は、液晶パネル３０とカバー材１０との間に配置される。例えば、緩衝層２０は、光学弾性樹脂であり、屈折率がカバー材１０および液晶パネル３０の透明基板の屈折率と同じになっている。光学弾性樹脂は、弾性を有するため、外部からの衝撃をやわらげ、液晶パネル３０の破損する可能性を低減することができる。また、光学弾性樹脂は、屈折率がカバー材１０および液晶パネル３０の透明基板と同じであるため、カバー材１０と光学弾性樹脂との境界および光学弾性樹脂と液晶パネル３０との境界における光の反射を低減することができる。なお、緩衝層２０は、エアギャップであってもよい。ただし、緩衝層２０が光学弾性樹脂の場合、屈折率がカバー材１０および液晶パネル３０の透明基板と同じにできる。このため、緩衝層２０は、光学弾性樹脂であることが好ましい。
「【００１９】
　
カバー材１０は、液晶パネル３０の画像を表示する表示面側に重ねられ、表示面を被覆して保護する部材である。例えば、カバー材１０は、ガラスで形成されており、表示面に対して垂直方向から見た形状が長方形である。カバー材１０は、液晶パネル３０と対向する表面と反対側の表面である被タッチ表面１０ｆの側に凹部１１、１２、１３を有する。タッチ検出装置４０は、静電容量式であるため、対象物が被タッチ表面１０ｆへ接触または近接したことを検出できる。例えば、実施形態１において、当該対象物は、人間の指である。また、図３に示すとおり、カバー材１０の液晶パネル３０と対向する表面である背面１０ｂは、平坦であって緩衝層２０と接触する。なお、カバー材１０は、液晶パネル３０の表面を保護することができ、液晶パネル３０に表示された画像を透過させることができればよく、例えば透明な樹脂のように光を透過する種々の材料で形成することができる。また、カバー材１０は、表示面に対して垂直方向から見た形状が正方形または円形等の長方形以外の形状であってもよい。
【００２０】
　図１〜３に示すとおり、
例えば、実施形態１における凹部１１、１３は、被タッチ表面１０ｆに対して垂直な方向から見た形状が円形であり、凹部１２は、被タッチ表面１０ｆに対して垂直な方向から見た形状が略長方形である。
【００２１】
　なお、凹部１１、１２、１３の配置は、上記のような配置に限らず、自由に配置されてよい。例えば、凹部１１、１２、１３は、カバー材１０の短辺に沿うように並べて配置されてもよいし、被タッチ表面１０ｆの中央に並べて配置されていてもよい。ただし、凹部１１、１２、１３が被タッチ表面１０ｆの中央よりも長辺または短辺に寄って配置されていた方が、凹部１１、１２、１３が目立ちにくくなる点で好ましい。また、カバー材１０は、凹部１１、１２、１３を有さなくてもよく、例えば、凹部１１、１２、１３のうちいずれか１つまたは２つを組み合わせて有していてもよい。
【００２２】
 　図４は、図１におけるＡ−Ａ’断面を示す図である。図４に示すように、
凹部１２は、被タッチ表面１０ｆに設けられた深さが寸法Ｌ１の溝である。これにより、操作者は、凹部１２の縁に触れることで、凹部１２の位置を知ることができる。
タッチ検出機能付き表示装置１によれば、操作者は、凹部１１、１２、１３に触れることで、液晶パネル３０の表示面を視認せずに凹部１１、１２、１３の位置を知ることができる。
【００２３】
　なお、実施形態１における凹部１１、１２、１３は、被タッチ表面１０ｆを切削して形成されているが、透明フィルムを用いて形成されてもよい。図５は、透明フィルムを用いて凹部を形成する場合の図１におけるＡ−Ａ’断面を示す図である。透明フィルムＦ１を用いて凹部を形成する場合、透明フィルムＦ１は、例えば、略長方形の貫通孔を有し被タッチ表面１０ｆの一部に重なる。凹部１２の壁面は、透明フィルムＦ１の断面である当該貫通孔の断面である。例えば、透明フィルムＦ１は、ポリエチレンテレフタレート等で形成される飛散防止フィルムであり、厚みが寸法Ｌ１である。これにより、操作者は、凹部１２の縁に触れることで、凹部１２の位置を知ることができる。また、透明フィルムＦ１は、円形の貫通孔を２つ有している。凹部１１の壁面は、２つの当該貫通孔のうち一方の貫通孔の断面である。凹部１３の壁面は、２つの当該貫通孔のうち他方の貫通孔の断面である。これより、タッチ検出機能付き表示装置１によれば、操作者は、凹部１１、１２、１３に触れることで、液晶パネル３０の表示面を視認せずに凹部１１、１２、１３の位置を知ることができる。タッチ検出機能付き表示装置１は、透明フィルムＦ１を備えることで、被タッチ表面１０ｆを切削するよりも容易に凹部１１、１２、１３を形成することができる。なお、凹部１１、１２、１３の壁面は、一部に透明フィルムＦ１の断面を含んでいてもよい。例えば、凹部１１、１２、１３の壁面の一部が透明フィルムＦ１の断面であって、壁面のその他の部分がタッチ検出機能付き表示装置１を取り付ける筐体等で形成されていてもよい。
【００２４】
　図６は、タッチ検出装置と制御手段との関係を説明するブロック図である。タッチ検出機能付き表示装置１は、タッチ検出装置４０に接続される制御手段５０を有する。被タッチ表面１０ｆのうち指が接触または近接する部分は、静電容量が変化する。タッチ検出装置４０が凹部１１、１２、１３のうちいずれかの凹部の近傍で静電容量の変化を検出したとき、制御手段５０は、当該凹部に割り当てられた入力機能に応じて信号を発信させることができる。また、制御手段５０は、タッチ検出装置４０により検出される静電容量が変化する位置の軌跡に応じて発信する信号を変化させることができる。また、タッチ検出装置４０が凹部１１、１２、１３のうちいずれかの凹部の近傍でない位置で静電容量の変化を検出したとき、制御手段５０は、部１１、１２、１３のそれぞれに割り当てられた入力機能に応じた信号を発信しない。また、凹部の近傍は、タッチ検出装置４０のうち凹部の縁、凹部の縁より内側の部分または凹部の縁の周辺部分に重なる部分を意味する。
【００２５】
　制御手段５０は、位置形状記憶手段５１と、軌跡記憶手段５２と、比較手段５３と、出力手段５４を有し、タッチ検出装置４０と機器制御手段６０とに接続されている。制御手段５０は、例えば、マイクロコンピュータであって、ＣＰＵ（Central Processing Unit）と、ＲＯＭ（Read Only Memory）と、ＲＡＭ（Random Access Memory）と、入出力回路（Ｉ／Ｏ（：Input/Output） Device）とを含む。位置形状記憶手段５１は、例えば、メモリとしてのＲＡＭに保持される情報により、凹部１１、１２、１３の位置および平面形状を記憶している。
軌跡記憶手段５２は、ＣＰＵ、ＲＯＭ及びＲＡＭにより実現される機能であって、ＣＰＵで演算された、タッチ検出装置４０によって検出される静電容量が変化した位置の軌跡を例えばメモリとしてのＲＡＭに記憶する。比較手段５３は、ＣＰＵ、ＲＯＭ及びＲＡＭにより実現される機能であって、タッチ検出装置４０によって検出される静電容量が変化した位置の情報と位置形状記憶手段５１に記憶された情報とを比較することができ、また比較手段５３は、軌跡記憶手段５２に記憶された情報と位置形状記憶手段５１に記憶された凹部１１、１２、１３の位置および平面形状の情報とを比較することができる。出力手段５４は、ＣＰＵ、ＲＯＭ、ＲＡＭ及び入出力回路により実現される機能であって、比較手段５３による比較の結果に応じて信号を機器制御手段６０へ発信する手段である。
【００２６】
　例えば、制御手段５０は、タッチ検出装置４０が検出する、静電容量が変化した位置の情報を一定時間ごとに取り込む。比較手段５３は、タッチ検出装置４０によって検出される静電容量が変化した位置と位置形状記憶手段５１に記憶された凹部１１、１２、１３の位置とを比較する。
当該比較の結果、タッチ検出装置４０が凹部１１、１２、１３のうちいずれかの凹部の近傍で静電容量の変化を検出していた場合、比較手段５３は、出力手段５４に信号を発信させる。出力手段５４は、液晶パネル３０を制御する機器制御手段６０に対して信号を発信する。
【００２７】
　
軌跡記憶手段５２は、タッチ検出装置４０から受け取った情報から静電容量が変化した位置の軌跡を演算し、記憶する。
軌跡記憶手段５２は、タッチ検出装置４０から受け取った情報と当該情報を受け取った時間とから、静電容量が変化した位置の移動方向および移動速度を演算し、記憶する。
軌跡記憶手段５２に記憶された静電容量が変化した位置の軌跡と位置形状記憶手段５１に記憶された凹部１１、１２、１３のうち静電容量が変化した位置に最も近い凹部の平面形状とを比較する。当該比較の結果、当該軌跡が当該凹部の平面形状に沿っていた場合、比較手段５３は、軌跡記憶手段５２に記憶された静電容量が変化した位置の移動方向および移動速度に応じて、出力手段５４が発信する信号を変化させる。
なお、機器制御手段６０が制御する対象は、外部装置であるオーディオまたは空調設備等であってもよい。
【００２８】
　
機器制御手段６０は、例えば、出力手段５４からの信号の変化に応じて液晶パネル３０を制御することで、表示画像を拡大または縮小させる。また、機器制御手段６０は、出力手段５４からの信号の変化に応じて液晶パネル３０を制御することで、表示の輝度を調節させてもよいし、表示画像をスクロールさせてもよい。また、機器制御手段６０は、出力手段５４からの信号の変化に応じて外部装置であるオーディオを制御することで、オーディオの音量を調節させてもよいし選曲をさせてもよい。また、機器制御手段６０は、出力手段５４からの信号の変化に応じて外部装置である空調設備を制御することで、空調の温度を調節させてもよいし風量を調節させてもよい。
【００２９】
　上述したように、
凹部１１の平面形状は円形
例えば、指が凹部１１に接触または近接した場合、当該比較の結果、比較手段５３は、タッチ検出装置４０が凹部１１の近傍で静電容量の変化を検出したと判定する。指が凹部１１に接触または近接した後、凹部１１の縁に沿って移動した場合、軌跡記憶手段５２は、タッチ検出装置４０から受け取った情報から静電容量が変化した位置の軌跡を演算し、円形状の軌跡を記憶する。さらに、軌跡記憶手段５２は、タッチ検出装置４０から受け取った情報と当該情報を受け取った時間とから、静電容量が変化した位置の移動方向および移動速度を演算し、記憶する。そして、タッチ検出装置４０が凹部１１の近傍で静電容量の変化を検出したと判定した比較手段５３は、軌跡記憶手段５２に記憶された円形状の軌跡と位置形状記憶手段５１に記憶された凹部１１の平面形状とを比較する。指が凹部１１の縁に沿って移動したので、当該比較の結果、比較手段５３は、円形状の軌跡が凹部１１の平面形状に沿っていると判定する。当該判定をした比較手段５３は、軌跡記憶手段５２に記憶された静電容量が変化した位置の移動方向および移動速度に応じて、出力手段５４が発信する信号を変化させる。
機器制御手段６０は、出力手段５４からの信号の変化に応じて、液晶パネル３０を制御することで表示の輝度を調節させる。なお、指が凹部１１の縁に沿って移動した場合に機器制御手段６０が変化させる対象は、表示の輝度に限らない。
【００３０】
　上述したように、凹部１２の平面形状は略長方形である。指が被タッチ表面１０ｆに接触または近接すると、タッチ検出装置４０は、静電容量が変化した位置を検出する。比較手段５３は、タッチ検出装置４０によって検出される静電容量が変化した位置と位置形状記憶手段５１に記憶された凹部１１、１２、１３の位置とを比較する。例えば、指が凹部１２に接触または近接した場合、当該比較の結果、比較手段５３は、タッチ検出装置４０が凹部１２の近傍で静電容量の変化を検出したと判定する。指が凹部１２に接触または近接した後、凹部１２の縁に沿って移動した場合、軌跡記憶手段５２は、タッチ検出装置４０から受け取った情報から静電容量が変化した位置の軌跡を演算し、直線状の軌跡を記憶する。さらに、軌跡記憶手段５２は、タッチ検出装置４０から受け取った情報と当該情報を受け取った時間とから、静電容量が変化した位置の移動方向および移動速度を演算し、記憶する。そして、タッチ検出装置４０が凹部１２の近傍で静電容量の変化を検出したと判定した比較手段５３は、軌跡記憶手段５２に記憶された直線状の軌跡と位置形状記憶手段５１に記憶された凹部１２の平面形状とを比較する。指が凹部１２の縁に沿って移動したので、当該比較の結果、比較手段５３は、直線状の軌跡が凹部１２の平面形状に沿っていると判定する。当該判定をした比較手段５３は、軌跡記憶手段５２に記憶された静電容量が変化した位置の移動方向および移動速度に応じて、出力手段５４が発信する信号を変化させる。このように、制御手段５０は、タッチ検出装置４０により検出される静電容量が変化した位置の軌跡に応じて出力手段５４が発信する信号を変化させる。機器制御手段６０は、出力手段５４からの信号の変化に応じて、液晶パネル３０を制御することで表示画像をスクロールさせる。なお、指が凹部１２の長辺の縁に沿って移動した場合に機器制御手段６０が変化させる対象は、表示画像のスクロールに限らない。
【００３１】
　上述したように、凹部１３の平面形状は円形である。指が被タッチ表面１０ｆに接触または近接すると、タッチ検出装置４０は、静電容量が変化した位置を検出する。比較手段５３は、タッチ検出装置４０によって検出される静電容量が変化した位置と位置形状記憶手段５１に記憶された凹部１１、１２、１３の位置とを比較する。例えば、指が凹部１３に接触または近接した場合、当該比較の結果、比較手段５３は、タッチ検出装置４０が凹部１３の近傍で静電容量の変化を検出したと判定する。指が凹部１３に接触または近接した後、凹部１３の縁に沿って移動した場合、軌跡記憶手段５２は、タッチ検出装置４０から受け取った情報から静電容量が変化した位置の軌跡を演算し、円形状の軌跡を記憶する。さらに、軌跡記憶手段５２は、タッチ検出装置４０から受け取った情報と当該情報を受け取った時間とから、静電容量が変化した位置の移動方向および移動速度を演算し、記憶する。そして、タッチ検出装置４０が凹部１３の近傍で静電容量の変化を検出したと判定した比較手段５３は、軌跡記憶手段５２に記憶された円形状の軌跡と位置形状記憶手段５１に記憶された凹部１３の平面形状とを比較する。指が凹部１３の縁に沿って移動したので、当該比較の結果、比較手段５３は、円形状の軌跡が凹部１３の平面形状に沿っていると判定する。当該判定をした比較手段５３は、軌跡記憶手段５２に記憶された静電容量が変化した位置の移動方向および移動速度に応じて、出力手段５４が発信する信号を変化させる。このように、制御手段５０は、タッチ検出装置４０により検出される静電容量が変化した位置の軌跡に応じて出力手段５４が発信する信号を変化させる。機器制御手段６０は、出力手段５４からの信号の変化に応じて、オーディオを制御することでオーディオの音量を調節させる。なお、指が凹部１３の縁に沿って移動した場合に機器制御手段６０が変化させる対象は、オーディオの音量に限らない。また、指が凹部１３の縁に沿って移動した場合に機器制御手段６０が変化させる対象は、指が凹部１１の縁に沿って移動した場合に機器制御手段６０が変化させる対象と同じであってもよい。
【００３２】
　
このように、タッチ検出機能付き表示装置１は、凹部１１、１２、１３のうちいずれかの凹部に沿って指が移動した際の入力機能を凹部１１、１２、１３のそれぞれに割り当てることができる。また、指が凹部１１、１２、１３のうちいずれかの凹部の縁に沿って移動した場合に機器制御手段６０が変化させる対象は、操作者が当該凹部の平面形状から想起しやすい対象となっている。
【００３３】
　以上より、タッチ検出機能付き表示装置１は、操作者の指を表示面上にある凹部１１、１２、１３に触れさせることで、情報入力を可能にする。また、
タッチ検出機能付き表示装置１は、操作者が凹部１１、１２、１３を視認できない状況でも、操作者の触覚を通じて凹部１１、１２、１３の位置を知らせることができる。このため、タッチ検出機能付き表示装置１は、表示面を視認できない状況においても、表示面上での操作による情報入力を容易にすることができる。
【００３４】
　また、
制御手段５０が、タッチ検出装置４０により検出される静電容量が変化した位置の軌跡に応じて出力手段５４が発信する信号を変化させることができるため、タッチ検出機能付き表示装置１は、操作者の指の動きに応じた情報入力を可能にする。
【００３５】
　また、タッチ検出機能付き表示装置１は、液晶パネル３０とカバー材１０との間に光学弾性樹脂である緩衝層２０を有することで、カバー材１０と光学弾性樹脂との境界および光学弾性樹脂と液晶パネル３０との境界における光の反射を低減することができる。これらの境界における光の反射が低減すると、凹部１１、１２、１３が目立ちにくくなる。このため、タッチ検出機能付き表示装置１は、凹部１１、１２、１３が液晶パネル３０の表示画像の視認を妨げる可能性を低減することができる。 」
「【図１】
」
「【図４】
」
「【図６】
」
（２）上記（１）から、引用文献１には次の技術的事項が記載されているものと認められる。
ア　タッチ検出機能付き表示装置１は、タッチ検出装置４０を備えた液晶パネル３０、緩衝層２０、カバー材１０を備え（【００１２】、【００１４】）、また、制御手段５０及び機器制御手段６０を備える（【００２４】〜【００２５】、【図６】）。
イ　カバー材１０は液晶パネル３０の画像を表示する表示面側に重ねられ、表示面を被覆して保護する部材である。
　タッチ検出装置４０は静電容量式であるため、カバー材１０の、液晶パネル３０と対向する表面と反対側の表面である被タッチ表面１０ｆに、対象物（例えば、人間の指）が接触または近接したことを検出できる。（【００１９】）
ウ　カバー材１０の被タッチ表面１０ｆの側には、円形の凹部１１、１３、略長方形の凹部１２が形成されており、操作者は、凹部１１、１２、１３に触れることで、液晶パネル３０の表示面を視認せずに凹部１１、１２、１３の位置を知ることができる。（【００２０】〜【００２２】、【図４】）
エ　制御手段５０は、位置形状記憶手段５１と、軌跡記憶手段５２と、比較手段５３と、出力手段５４を有する。
　制御手段５０は、静電容量が変化した位置の情報を一定時間ごとに取り込み、軌跡記憶手段５２は、指がカバー部材１０の被タッチ表面１０ｆ上で移動したときの軌跡を演算して記憶し、さらに、静電容量が変化した位置の移動方向と移動速度を演算して記憶する。
　比較手段５３は、軌跡記憶手段５２に記憶された軌跡と、位置形状記憶手段５１が記憶している凹部１１、１２、１３の位置と平面形状とを比較し、当該軌跡が凹部の平面形状に沿っていた場合、軌跡記憶手段５２に記憶された移動方向と移動速度に応じて、出力手段５４が発信する信号を変化させる。（【００２５】、【００２７】）
オ　上記エに関して、例えば、指が凹部１１の縁に沿って移動した場合、軌跡記憶手段５２は円形状の軌跡を記憶し、静電容量が変化した位置の移動方向および移動速度を演算し、比較手段５３が、記憶した円形状の軌跡が凹部１１の平面形状に沿っていると判定した場合、記憶した移動方向および移動速度に応じて、出力手段５４が発信させる信号を変化させる。（【００２９】）
カ　機器制御手段６０は、出力手段５４からの信号の変化に応じて、外部装置を制御する。例えば、液晶パネルの表示画像をスクロールさせる、オーディオの音量を調節する、空調の温度や風量を調節させる、といった制御を行う。（【００２７】、【００２８】）
（３）上記（１）、（２）から、引用文献１には次の発明（以下、「引用発明」という。）が記載されていると認められる。
「タッチ検出機能付き表示装置１が、タッチ検出装置４０を備えた液晶パネル３０、緩衝層２０、カバー材１０、制御手段５０、機器制御手段６０を備え、
　タッチ検出装置４０は静電容量式であり、
　カバー材１０は液晶パネル３０の画像を表示する表示面側に重ねられ、カバー材１０の、液晶パネル３０と対向する表面と反対側の表面である被タッチ表面１０ｆには、円形の凹部１１、１３、略長方形の凹部１２が形成されており、操作者は、凹部１１、１２、１３に触れることで、液晶パネル３０の表示面を視認せずに凹部１１、１２、１３の位置を知ることができるものであり、
　制御手段５０は、カバー材１０の被タッチ表面１０ｆ上で指が移動したときの静電容量が変化した位置の軌跡、移動方向、移動速度を演算して記憶し、前記軌跡が凹部１１、１２、１３の平面形状に沿っていた場合、前記移動方向と前記移動速度に応じて出力する信号を変化させ、
　機器制御手段６０は、制御手段５０が出力する信号の変化に応じて外部装置を制御するものであって、
　指が凹部１１の縁に沿って移動した場合、静電容量が変化した位置として円形状の軌跡を記憶し、静電容量が変化した位置の移動方向と移動速度に応じて、オーディオの音量や選曲、空調設備の温度や風量を調節する、
　タッチ検出機能付き表示装置１。」
２．引用文献２について
　原査定の拒絶の理由に引用された引用文献２には、図面とともに次の事項が記載されている。
「【技術分野】
【０００１】
　
本発明は、例えばタッチパッド等の入力装置に関し、特に、何らかの処理が操作者の指の動作に対応付けられている入力装置の技術分野に関する
「【背景技術】
【０００２】
　この種の入力装置には、例えば、一定間隔で表面加工が施されたタッチパッドを複数の領域に区切り、該区切られた複数の領域各々に文字、数字等が割り当てられている操作入力装置が提案されている。ここでは特に、
操作者が、タッチパッドにタッチすることによって領域が決定され、指をスライドすることによって、決定された領域に割り当てられている文字等の中から所望する文字等を検索し、指をタッチパッドから離すことによって文字等の選択が確定する技術
【０００３】
【特許文献１】特開２００７−７２６６０号公報
【発明の開示】
【発明が解決しようとする課題】
【０００４】
　しかしながら、上述の背景技術によれば、
操作者が指の一動作（例えばタッチ、スライド等）によって指定することができる処理は一つ
【０００５】
　本発明は、例えば上記問題点に鑑みてなされたものであり、
操作者の操作用部位の一動作で複数の処理を指定することができる入力装置を提供することを課題とする
【課題を解決するための手段】
【０００６】
　本発明の入力装置は、上記課題を解決するために、
入力領域を通る第1軸に沿って該入力領域を区切ると共に凹凸を呈する区切部材を有し、前記入力領域において前記区切部材を跨いで行われる、操作者の操作用部位の位置変化を入力の一つとして受け付け可能な受付手段と、前記受け付けられた入力に応じて、少なくとも一つのイベントを特定する特定手段とを備える
【０００７】
　本発明の入力装置によれば、例えばメモリ、プロセッサ等を備えてなる受付手段は、
入力領域を通る第１軸（例えばＹ軸）に沿って該入力領域を区切る（即ち、区切のラインは夫々第１軸に交差する第２軸（例えばＸ軸）に沿っている）と共に凹凸を呈する区切部材を有し、入力領域におういて区切部材を跨いで行われる、操作者の操作用部位の位置変化を入力の一つとして受け付け可能
「【００４９】
＜第１実施形態＞
　本発明の入力装置に係る第１実施形態を、図１乃至図６を参照して説明する。ここに、図１は、第１実施形態に係る入力装置の構成を示すブロック図である。尚、図中の矢印は、信号の流れを示している。
【００５０】
　図１において、本実施形態に係る入力装置１は、タッチパッド１１、処理部２０、検索データベース（ＤＢ）を格納する記憶装置３０、表示装置４０及びスピーカ５０を備えて構成されている。処理部２０は、入力位置受取部２０１、入力動作判定部２０２、検索条件生成部２０３、検索実行部２０４、音声生成部２０５、表示データ生成部２０６、映像表示部２０７、選択位置表現部２０８及びメモリ２０９を備えて構成されている。
【００５１】
　ここに、本実施形態に係る「タッチパッド１１」、「処理部２０」及び「入力動作判定部２０２」は、夫々、本発明に係る「受付手段」、「特定手段」及び「ジェスチャー認識手段」の一例である。また、本実施形態に係る「入力位置受取部２０１」は、本発明に係る「受付手段」及び「位置認識手段」の一例であり、本実施形態に係る「表示装置４０」及び「スピーカ５０」は、本発明に係る「通知手段」の一例である。
【００５２】
尚、記憶装置３０は、入力装置１に内蔵されてなくてよく、例えばＵＳＢ（Ｕｎｉｖｅｒｓａｌ Ｓｅｒｉａｌ Ｂｕｓ）ケーブル、光ケーブル等を介して外付けされていてもよいし、ネットワークを介して接続されていてもよい。また、本実施形態では、タッチパッド１１を静電容量式のタッチパッドとして説明するが、感圧式のタッチパッドであってもよい。
【００５３】
　ここで、タッチパッド１１について、図２及び図３を参照して説明を加える。ここに、図２（ａ）は、本実施形態に係るタッチパッドの平面図であり、図２（ｂ）は、図２（ａ）のＡ−Ａ´線断面図である。図３（ａ）は、タッチパッド上に設定された複数の領域を示す概念図であり、図３（ｂ）は、各領域に割り当てられた情報の一例を示す概念図である。
【００５４】
　図２において、
タッチパッド１１は、パッド１１１の入力領域１１１ａに、本発明に係る「区切部材」の一例としての複数の凸部１１２が形成されている。本実施形態では、タッチパッド１１は、凸部１１２上を、本発明に係る「操作用部位」の一例としての操作者の指が通過しても信号が発生しないように構成されている。尚、タッチパッド１１は、矩形に限らず、例えば円形、多角形等であってもよい。
【００５５】
　図３（ａ）において点線で示すように、図２に示した入力領域１１１ａは、凸部１１２によって、複数の部分領域１１ａ〜１１ｆに区画されている。他方、図１に示したメモリ２０９には、図３（ｂ）に示すような仮想入力領域３０１が格納されている。
情報が夫々割り当てられた仮想入力領域３０１における各部分領域３０１ａ〜３０１ｆと、タッチパッド１１の各部分領域１１ａ〜１１ｆとが夫々対応している。
【００５６】
　尚、本実施形態では、説明の便宜上、仮想入力領域として示したが、例えば「ｘ１，ｙ１〜ｘ２，ｙ２：Ｐｏｐｓ」等のように、座標範囲で指定してもよい。また、操作者の指が最初に触れたタッチパッド１１の部分領域に、仮想入力領域３０１の部分領域３０１ａの情報が割り当てられるように構成してもよい。この場合は、対応する部分領域を順次繰り下げるようにすればよい。具体的には例えば、操作者が部分領域１１ｅに最初に触れた場合、部分領域１１ｅに部分領域３０１ａの情報を、部分領域１１ｆに部分領域３０１ｂの情報を、部分領域１１ａに部分領域３０１ｃの情報を、・・・と順次割り当てればよい。
【００５７】
　再び図１に戻り、
入力位置受取部２０１は、タッチパッド１１からの信号に基づいて、タッチパッド１１上における操作者の指の位置（即ち、座標）を検出する。そして、入力位置受取部２０１は、順次、検出された位置を示す信号を、入力動作判定部２０２に対し送信する。
【００５８】
　
入力動作判定部２０２は、受信した信号から指の軌跡を検出すると共に、該検出された軌跡が予め定められたジェスチャーと一致するか否かを判定する。ジェスチャーと一致すると判定された場合、入力動作判定部２０２は、一致すると判定されたジェスチャーに対応付けられているイベントを特定する。一方、ジェスチャーと一致しないと判定された場合、入力動作判定部２０２は、典型的には、無効な入力として処理する。
【００５９】
　ここで、入力動作判定部２０２の動作を、図４を参照して具体的に説明する。ここに、図４（ａ）は、タッチパッド上における操作者の指の動作の一例を示す概念図であり、図４（ｂ）は、入力動作判定部が検出した指の軌跡の一例を示す概念図である。
【００６０】
　図４（ａ）に示すように、操作者が指６０を、タッチパッド１１の部分領域１１ａ及び１１ｃにおいて左右に移動させつつ、図４（ａ）の上から下へ移動させた場合、入力動作判定部２０２は、指６０の動作を、図４（ｂ）に示すような軌跡４０１として検出する。
【００６１】
　
本実施形態では、「左右方向への軌跡」は、「選択」を示すジェスチャーとして、「断続入力、且つ上下方向への軌跡」は、「ＡＮＤ検索」を示すジェスチャーとして設定されている
【００６２】
　再び図１に戻り、入力動作判定部２０２は、メモリ２０９に格納されている仮想入力領域３０１を参照して、選択された部分領域１１ａ及び１１ｃに夫々割り当てられている「Ｐｏｐｓ」及び「早い」という情報を取得する。そして、「Ｐｏｐｓ」及び「早い」という情報の選択、並びにＡＮＤ検索であることを示す信号を、検索条件生成部２０３、音声生成部２０５及び表示データ生成部２０６に対し送信する。
【００６３】
　
検索条件生成部２０３は、受信した信号に基づいて、「『Ｐｏｐｓ』且つ『早い』」という検索条件を生成して、該生成された検索条件を示す信号を、検索実行部２０４に送信する。検索実行部２０４は、受信した信号に基づいて、記憶装置３０に格納されている検索データベースを参照して検索を実行し、検索結果を示す信号を表示データ生成部２０６に対し送信する。
【００６４】
　入力動作判定部２０２からの信号を受信した音声生成部２０５は、例えば「Ｐｏｐｓ選択」等の音声を生成して、スピーカ５０を介して出力する。他方、入力動作判定部２０２からの信号を受信した表示データ生成部２０６は、仮想入力領域３０１のような映像を示す映像信号を生成して、映像表示部２０７に対し送信すると共に、例えば部分領域１１ａ及び１１ｃに対応する範囲の文字の色を反転することを示す信号を、選択位置表現部２０８に対し送信する。
この結果、「Ｐｏｐｓ」及び「早い」という文字の色が反転された映像が表示装置４０に表示される。
【００６５】
　検索実行部２０４からの信号を受信した表示データ生成部２０６は、検索結果を示す映像信号を生成して映像表示部２０７に対し送信する。表示データ生成部２０６は、更に、入力動作判定部２０２を介して、入力位置受取部２０１によって検出された指６０の位置を示す信号を受信して、該受信した信号に基づいて、指６０の位置に対応する検索結果の、例えば文字の色を反転することを示す信号を、選択位置表現部２０８に対し送信する。
【００６６】
　尚、検索結果が表示装置４０に表示されている場合には、例えば、タッチパッド１１上における指６０の上下方向への移動、又は左右方向への移動によって、検索結果がスクロールされるように構成してもよい。更に、タッチパッド１１に触れている指の本数に応じてスクロールスピードが変化するように構成してもよい。
【００６７】
　次に、操作者の指の動作の他の例について、図５及び図６を参照して説明する。ここに、図５（ａ）及び図６（ａ）の各々は、図４（ａ）と同趣旨の、タッチパッド上における操作者の指の動作の他の例を示す概念図であり、図５（ｂ）及び図６（ｂ）の各々は、図４（ｂ）と同趣旨の、入力動作判定部が検出した指の軌跡の他の例を示す概念図である。
【００６８】
　図５（ａ）に示すように、操作者が指６０を、タッチパッド１１の部分領域１１ａ及び１１ｃにおいて左右に移動させつつ、凸部１１２を避けながら、図５（ａ）の上から下へ移動させた場合、入力動作判定部２０２は、指６０の動作を、図５（ｂ）に示すような軌跡４０２として検出する。
本実施形態では、「連続入力、且つ上下方向への軌跡」は、「ＯＲ検索」を示すジェスチャーとして設定されている。
【００６９】
　また、図６（ａ）に示すように、操作者が指６０を、タッチパッド１１の部分領域１１ａ、及び１１ｃにおいて左右に移動させつつ、部分領域１１ａから部分領域１１ｃまでは凸部１１２の上を通過するように、図６（ａ）の上から下へ移動させると共に、部分領域１１ｅにおいて左右に移動させつつ、部分領域１１ｃから部分領域１１ｆまでは凸部１１２を避けながら、図６（ａ）の上から下へ移動させた場合、入力動作判定部２０２は、指６０の動作を、図６（ｂ）に示すような軌跡４０３として検出する。そして、入力動作判定部２０２は、
部分領域１１ａ、１１ｃ及び１１ｅに夫々割り当てられている情報の選択、並びに、部分領域１１ｃ及び１１ｅに夫々割り当てられている情報によるＯＲ検索の結果と部分領域１１ａに割り当てられている情報とによるＡＮＤ検索であると判定
「【図２】
」
「【図３】
」
「【図４】
」
　したがって、引用文献２には、「タッチパッドの入力領域に複数の凸部を形成し、当該凸部は操作者の指が通過しても信号を発生しないように構成され、タッチパッド上の操作者の指の軌跡を検出し、左右方向の軌跡、上下方向の軌跡、指が凸部を通過することによる検出信号の断続に基づいて、予め定められたジェスチャーと一致するかを判定し、一致する場合、当該ジェスチャーと対応付けられているイベントを特定することで、操作者の動作で複数の処理を指定することができるものとする」、という技術的な事項が記載されていると認められる。
３．引用文献３について
　原査定の拒絶の理由に引用された引用文献３には、図面とともに次の事項が記載されている。
「【技術分野】
【０００１】
　本発明は、操作入力装置、より詳細には、
タッチパッドを操作する際の操作者の指の移動と停止を制御し易くした操作入力装置に関する
【背景技術】
【０００２】
　従来、画面上におけるカーソルの移動を制御するために、タッチパッドを備えた操作入力装置が知られている。例えば、特許文献１には、タッチパッドを備えた携帯端末機が開示されている。これは、手指、ペン等の指示体の接触位置の２次元座標を出力すると共に、指示体の押圧力に応じて異なる信号を出力するタッチパッドを操作手段とし、情報とカーソルを表示する表示手段と、タッチパッドの操作に応じて、カーソルを移動する移動処理と情報の選択を決定する決定処理とを行う制御手段とを備え、さらに、タッチパッド上に、タッチパッド上をタップ操作することによりカーソルを移動させるカーソル移動領域と、タッチパッド上をタップ操作することにより情報の選択決定を行う決定領域とを設けたものである。
【０００３】
　上記のタッチパッドは、操作者の指の移動距離に応じてカーソルの移動量を制御することができる。このとき、操作者は、その指を平面状のタッチパッド上でスライドさせるため、指の移動量は無段階となる。
【特許文献１】特開２００４−１６６１０９号公報
【発明の開示】
【発明が解決しようとする課題】
【０００４】
　従来、タッチパッドを操作して文字や図のようなキャラクタや、行や列を指定するとき、操作者の指は無段階にタッチパッド上を移動することになる。
このため、操作者はカーソルを意図する場所に停止させるために、定められた指の移動と停止位置の位置決めの範囲がつかみにくかった。従って、意図する停止位置よりも前あるいは後でカーソルを停止させてしまうことによる誤操作を生じさせやすく、そのたびに再調整の必要があり、入力操作が非効率なものになっていた
【０００５】
　本発明は、上述のごとき実情に鑑みてなされたものであり、
タッチパッドを備える操作入力装置において、タッチパッドの表面に一定間隔で表面加工を施し、操作者の指の移動及び停止を制御し易くすること、を目的とする
【課題を解決するための手段】
【０００６】
　上記課題を解決するために、本発明の第１の技術手段は、カーソルを表示する表示手段と、操作者の指の移動量に応じて前記カーソルの移動量を制御可能なタッチパッドとを備える操作入力装置において、
前記タッチパッドは、前記操作者の指の移動方向と交わるように一定間隔で表面加工が施され、該表面加工の間隔に対応させて前記カーソルの移動量を設定していることを特徴としたもの
「【００１６】
　図１は、本発明の一実施形態に係る操作入力装置の構成例を示すブロック図で、図中、１は操作者の指、１０は操作入力装置を示す。操作入力装置１０は、タッチパッド１１、タッチパッドコントローラ１２、表示制御手段１３、辞書ＤＢ１４、メモリ１５、表示手段１６、及び入力確定手段１７を備えている。
【００１７】
　
本発明の操作入力装置１０は、例えば、ポータブル音楽プレーヤ、携帯電話機、携帯型情報機器、デジタルカメラ、デジタルビデオカメラなどのように、表示手段１６を有し、その画面上にカーソルが表示され、カーソル移動をタッチパッド１１によって操作可能な装置であって、カーソルの停止位置が操作者の意図とずれることを防止することを主たる目的とする。
「【００２４】
　図２は、本発明の他の実施形態に係る操作入力装置１０の構成例を示す図で、図中、２０はＬＣＤなどの表示装置、３０は記録再生装置（レコーダなど）やＰＣ本体等の外部機器を示す。本実施形態では、外部機器３０と表示装置２０が接続され、操作入力装置１０からの操作入力信号は、外部機器３０で受信され、外部機器３０から表示装置２０に送られる。
【００２５】
　
本発明の操作入力装置１０は、表示装置２０や外部機器３０を遠隔操作可能なリモートコントロール装置に適用してもよい。この場合、表示手段１６が外部の表示装置２０となり、表示制御手段１３、辞書ＤＢ１４、メモリ１５、及び入力確定手段１７を外部機器３０あるいは表示装置２０に備える構成としてもよい。また、表示装置２０あるいは外部機器３０は、テレビチューナ機能、ラジオチューナ機能、音楽プレーヤ機能などの機能を備えるようにしてもよい。
「【００３１】
（第１の実施形態）
　図３は、本発明の第１の実施形態に係るタッチパッド１１の表面加工処理の一例を示す図である。操作入力装置１０は、タッチパッド１１に対して操作者の指１が触れた点を始点として認識し、始点を含む領域に割り当てられている選択候補のリストを表示手段１６の画面に表示する。そして、タッチパッド１１上の始点からの操作者の指１の移動方向及び移動量に応じて、カーソル１６ａを移動させて、選択候補を順に選択状態にする。本例では、白抜き表示されている選択候補「ＢＢＢ」が選択状態にあることを示す。
【００３２】
　
図３（Ａ）において、タッチパッド１１は、操作者の指１の移動方向と交わるように一定間隔で表面加工１１ａが施され、表面加工１１ａの間隔に対応させてカーソル１６ａの移動量が設定されている。図３（Ｂ）は、図３（Ａ）に示すタッチパッド１１のＸＸ′断面を示す図である。本実施形態のタッチパッド１１は、カーソル移動の操作のため、操作者の指１を直線状に移動させるように設定されており、表面加工１１ａは、操作者の指１の移動方向と交わるように一定間隔で施されている。
【００３３】
　
本実施形態では、表面加工１１ａとして、図３（Ｂ）に示すように断面波型に加工され、領域「００」から領域「０４」までの各領域がカーソル位置「Ａ」からカーソル位置「Ｅ」までに対応している。また、波型の凹部が指１の停止位置に対応して形成され、操作者の指１が波型の凸部をひとつ越えて次の凹部に停止すると、表示手段１６のカーソル１６ａがひとつ移動する。なお、その逆、すなわち、波型の凸部が指１の停止位置に対応して形成されていてもよい。この場合、操作者の指１が波型の凹部をひとつ越えるごとにカーソル１６ａがひとつ移動する。
【００３４】
　図３（Ａ）及び（Ｂ）において、指１が領域「００」にタッチしている間は、カーソル位置「Ａ」にカーソル１６ａが当たり、指１をスライドさせて領域「０１」にタッチしている間は、カーソル位置「Ｂ」にカーソル１６ａが当たる。以下、指１をスライドさせて領域「０２」にタッチしている間は、カーソル位置「Ｃ」にカーソル１６ａが当たり、指１が領域「０３」にタッチしている間は、カーソル位置「Ｄ」にカーソル１６ａが当たり、指１が領域「０４」にタッチしている間は、カーソル位置「Ｅ」にカーソル１６ａが当たるように設定されている。
【００３５】
　
このように、タッチパッド１１に表面加工１１ａを施して断面波型にすることにより、操作者はタッチパッド１１上において指１を順にスライドさせる際に、波型の凹部を指１の触覚で感知することができるため、この凹部で指１のスライドを停止させることができる。これにより、操作者の指１が波型の凸部をひとつ越えるごとに、表示手段１６のカーソル１６ａをひとつ移動させることが可能となり、操作者は指１の停止位置の位置決めがし易くなり、誤操作を減少させることができる。
【００３６】
　なお、操作者の指１の移動方向は、タッチパッド１の表面における上下方向、左右方向、斜め方向のいずれの方向にしてもよく、各方向に対して断面波型を形成することで、同様の操作を行うことができる。」
「【図３】
」
　したがって、引用文献３には、「タッチパッドの表面に一定間隔で凹凸部を設け、指が凹部を１つ越える、あるいは、指が凸部を１つ越えるごとに、表示手段のカーソルを一つ移動させるものとすることで、操作者は指の停止位置の位置決めをし易くなり、誤操作を減少させる」、という技術的事項が記載されていると認められる。
４．引用文献４について
　原査定の拒絶の理由に引用された引用文献４には、図面とともに次の事項が記載されている。
「【請求項１】
　
サーボ機構の手動操作用の入力操作部が画面表示されるタッチパネルと、前記入力操作部の入力操作に応じて制御対象機械のサーボ機構に移動指令を与える操作認識移動指令手段とを備えたタッチパネルによる機械制御装置
【請求項２】
　
前記操作認識移動指令手段で与える移動指令が、パルス列である
【請求項３】
　前記入力操作部には、複数のタッチスイッチ表示が、指でなぞって連続的に入力操作可能なように配列され、前記操作認識移動指令手段は、
タッチスイッチ表示がなぞられた数および方向に対応して前記移動指令の移動量および移動方向を定める
「【０００１】
【発明の属する技術分野】
この発明は、自動運転の各種の機械、例えば工作機械やその他の産業機械を手動で動作させる場合に用いるタッチパネルによる機械制御装置に関する。
【０００２】
【従来の技術と発明が解決しようとする課題】従来、ＮＣ工作機械等の産業機械において、手動で動作させたい場合、制御装置本体にケーブルで接続された手動パルス発生装置を用いている。産業機械の制御装置は、以前は専用のコンピュータ装置を用いることが多かったが、パーソナルコンピュータ（以下「パソコン」と称す）の高性能化に伴い、パソコンを使用することが増えている。パソコンを用いた制御装置は、その入力手段としてタッチパネルを採用することが主流となっている。しかし、機械の手動操作を行う場合は、以前と同様に、専用のハードウェアである手動パルス発生装置によっており、パソコンの採用による低コスト化が十分に果たされていない。
【０００３】この発明の目的は、専用のハードウェアを必要とせずに、機械の手動による操作が簡単に行えるタッチパネルによる機械制御装置を提供することである。
この発明の他の目的は、ハードウェアとして存在していた手パルスの発生手段を、ソフトウェア的に実現することである。この発明のさらに他の目的は、移動量、移動方向の手動による指令も簡単な操作で行えるようにすることである。
（なお、【０００３】における「フソトウェア的」という記載は、「ソフトウェア的」の誤記と認めた。）
「【０００９】
画面表示手段１２は、タッチパネル１１のディスプレイに、サーボ機構２の手動操作用の入力操作部１９を画面表示する手段である。入力操作部１９は、複数のタッチスイッチ表示２０が、指でなぞって連続的に入力操作可能なように配列されたものとしてある。各タッチスイッチ表示２０は、サークル状に配列されている。操作認識移動指令手段１３は、タッチパネル１１の入力操作部１９の入力操作に応じて制御対象機械１のサーボ機構２に移動指令ｓを与える手段である。移動指令ｓはパルス列からなり、サーボコントローラ５に入力される。
【００１０】操作認識移動指令手段１３は、タッチパネル１１の入力の認識につき、入力操作部１９に対応する範囲が指等で触れられた場合に入力があったと判断するものとしてある。
入力操作部１９がタッチスイッチ表示２０の列からなる場合は、各タッチスイッチ表示２０のいずれかの箇所が触れられる毎に、そのタッチスイッチ表示２０と対応して予め設定された所定の座標入力があったと認識される。
【００１１】操作認識移動指令手段１３は、上記の入力認識を行う手段の他に、移動指令付与手段１４、方向決定手段１５、速度決定手段１６、操作連続性認識手段１７、および不連続時停止手段１８を有し、例えば図２に流れ図で示す制御を行う。
【００１２】移動指令付与手段１４は、タッチパネル１１の入力座標の変化を認識し、その変化によりサーボコントローラ５に移動指令ｓを与える手段であり、図２の処理の場合、ステップＳ２，Ｓ６の正転指令および逆転指令を行う手段となる。
また移動指令付与手段１４は、移動指令ｓとして、タッチパネル１１の入力座標の変化量に応じた移動量を指令する。例えば、タッチパネル１１の入力操作部１９がタッチスイッチ表示２０の並びからなる場合、移動指令付与手段１４は、なぞり箇所がタッチスイッチ表示２０の１個分移ることで、所定個数のパルス数を発生するものとされる。
速度決定手段１６は、入力座標の増加量を監視し、その量に応じて送り速度を変化させる手段であり
「【００１４】図４は制御対象機械１の一例を示す。この例では、制御対象機械１はタレット式の旋盤であり、タレット２１を搭載した送り台２２が、図１の例の可動体３に相当する。送り台２２は、ベッド２３の案内２４上を、主軸台２５の主軸２６に対して近接，離間する方向に移動自在に設置され、ボールねじ機構等の送り機構６を介してサーボモータ４により進退駆動される。
【００１５】上記構成の動作を説明する。まず概略を説明する。
タッチパネル１１の各タッチスイッチ表示２０をオペレータが指３０等で順次連続的に触れることにより、操作認識移動指令手段１３から、パルス列による移動指令ｓがサーボコントローラ５に与えられる。サーボコントローラ５は、この移動指令ｓによりサーボモータ４を駆動し、移動台３を移動させる。タッチスイッチ表示２０が図示のようにサークル状に配列されている場合、任意のタッチスイッチ表示２０を触れ、指３０で円または円弧を描くように各タッチスイッチ表示２０を順次なぞることにより、操作認識移動指令手段１３は各タッチスイッチ表示２０の接触毎に得られる信号が何方の方向に回転されているかを認識して移動方向を確定し、その移動方向に対応する方向に駆動する移動指令ｓを出力する。指３０が複数のタッチスイッチ表示２０に接触する速度が異なれば、移動指令ｓとなるパルスを出力する速度も異なるので、結果的にサーボモータ４の回転速度が変わることになり、従来はハードウェア的に構成されていた手パルス発生器と同等の機能が、タッチパネル１１上で実現されることになる。
「【図１】
」
　したがって、引用文献４には、「タッチパネルによる機械制御装置について、タッチパネルにタッチスイッチ表示がサークル状に配列され、タッチスイッチ表示は指によってなぞって連続的に入力操作可能であり、なぞり箇所がタッチスイッチ表示の１個分移ることで、所定個数のパルスを発生させるものとし、指が複数のタッチスイッチ表示に接触する速度が異なると、パルスを出力する速度も異なるものとなり、その結果、制御対象機器の回転速度を変えるという制御を実現する」、という技術的事項が記載されていると認められる。
５．引用文献５について
　原査定の拒絶の理由に引用された引用文献５には、図面とともに次の事項が記載されている。
「【技術分野】
【０００１】
　
この発明は、例えば、空気調和機、調理家電機器や設備機器などの制御対象機器の操作を受け付ける操作インタフェースに関するものである。
【背景技術】
【０００２】
　例えば、以下の特許文献１，２には、複数の押し圧式の透光性スイッチが配置されている操作部を備えている操作インタフェースが開示されている。 この操作インタフェースでは、複数の透光性スイッチのうち、現在操作を受け付ける有効な透光性スイッチを発光するようにしているので、ユーザは、どの透光性スイッチを押せば、操作を行うことができるかを容易に認識することができる。
【先行技術文献】
【特許文献】
【０００３】
【特許文献１】特開２００６−３１８２３１号公報（段落番号［００２７］、図３）
【特許文献２】特開平１１−２１３７９４号公報（段落番号［０００８］、図５）
【発明の概要】
【発明が解決しようとする課題】
【０００４】
　従来の操作インタフェースは以上のように構成されているので、例えば、Ｎ個の透光性スイッチを配置すれば、Ｎ個の操作内容の中から、ユーザが所望の操作内容を選択する操作を受け付けることができる。
しかし、選択可能な操作内容の数は、透光性スイッチの個数が上限であり、透光性スイッチの個数以上の操作内容の選択を受け付けることができない。
【０００５】
　この発明は上記のような課題を解決するためになされたもので、
操作部に配置するスイッチの個数以上の操作内容の選択を受け付けることができる操作インタフェースを得ることを目的とする
【課題を解決するための手段】
【０００６】
　この発明に係る操作インタフェースは、
人体との距離に応じて静電容量が変化する静電スイッチ及び発光体が透明又は半透明の外装材の裏面側に複数個配置されている操作部と、操作部における複数の静電スイッチの静電容量を検出して、ユーザの指が触れている操作部上の位置を特定する位置特定手段とを設け、操作内容決定手段が位置特定手段により特定された位置から制御対象機器の操作内容を決定する
【発明の効果】
【０００７】
　この発明によれば、人体との距離に応じて静電容量が変化する静電スイッチ及び発光体が透明又は半透明の外装材の裏面側に複数個配置されている操作部と、
操作部における複数の静電スイッチの静電容量を検出して、ユーザの指が触れている操作部上の位置を特定する位置特定手段とを設け、操作内容決定手段が位置特定手段により特定された位置から制御対象機器の操作内容を決定するように構成したので、操作部に配置するスイッチの個数以上の操作内容の選択を受け付けることができるようになり
「【０００９】
実施の形態１．
　図１はこの発明の実施の形態１による操作インタフェースが実装されている炊飯器の一部を示す外形表面図である。
　また、図２は図１の操作インタフェースにおける操作部付近の断面形状を示す断面図である。
　さらに、図３は操作部１に配置されている静電スイッチ３を示す概略構成図である。
　図１、図２及び図３において、
操作部１は制御対象機器である炊飯器の操作内容を受け付けるインタフェースであり、静電スイッチ３及びＬＥＤランプ４が外装材２の裏面側に複数個配置されている
【００１０】
　外装材２は透明又は半透明の導電性部材（例えば、ガラス、アクリル）で構成されており、静電スイッチ３が配置される部分の表面には凹型の溝２ａが施されている。 静電スイッチ３は人体との距離に応じて静電容量が変化するスイッチであって、概ね電極シート３ａとコンデンサ３ｂから構成されるスイッチである。静電スイッチ３の幅は、ユーザの人差し指程度であり（例えば、１０〜１５ｍｍ）、
静電スイッチ３と静電スイッチ３の間隔が、ユーザの指の幅より狭い間隔（例えば、２ｍｍ）で配置される
　静電スイッチ３は、図３に示すように、ユーザの指が外装材２と離れている間は指と電極シート３ａ間に電流が流れないが、ユーザの指が外装材２と接触すると、人体を通じて、指と電極シート３ａ間に電流が流れて、コンデンサ３ｂの静電容量が増加する。
　なお、コンデンサ３ｂの静電容量は、ユーザの指が電極シート３ａを覆っている面積に比例し、指が電極シート３ａを覆っている面積が増えると、コンデンサ３ｂの静電容量が増加する。
【００１１】
　ＬＥＤランプ４は静電スイッチ３の真下に配置される発光体である（図２を参照）。 図２の例では、ＬＥＤランプ４は静電スイッチ３の真下にだけ配置されているが、必要に応じて静電スイッチ３と静電スイッチ３の間の真下にも配置される。
【００１２】
　図４はこの発明の実施の形態１による操作インタフェースを示す構成図である。
　図４において、静電容量検出部１１は操作部１における複数の静電スイッチ３の静電容量を検出する処理を実施する。
　
接触位置特定部１２は静電容量検出部１１により検出された複数の静電スイッチ３の静電容量から、ユーザの指が触れている操作部１上の位置を特定する処理を実施する。
　なお、静電容量検出部１１及び接触位置特定部１２から位置特定手段が構成されている。
【００１３】
　
操作内容記録部１３はユーザの指が触れている操作部１上の位置に対応する制御対象機器の操作内容を示すテーブルを格納しているメモリである。
　操作内容決定部１４は操作内容記録部１３に格納されているテーブルを参照して、接触位置特定部１２により特定された位置に対応する制御対象機器の操作内容を特定する処理を実施する。
　なお、操作内容記録部１３及び操作内容決定部１４から操作内容決定手段が構成されている。
　ＬＥＤ制御部１５は接触位置特定部１２により特定された位置に配置されているＬＥＤランプ４を点灯する処理を実施する。なお、ＬＥＤ制御部１５は点灯手段を構成している。
【００１４】
　次に動作について説明する。
　図１の操作部１には、
複数の静電スイッチ３とＬＥＤランプ４が円形に配置されている例を示している
　複数の静電スイッチ３とＬＥＤランプ４が直線状に配置されている操作部１は、例えば、ＩＨクッキングヒータなどに適用される。
【００１５】
　ユーザの指が外装材２と離れている間は、図３に示すように、ユーザの指と静電スイッチ３の電極シート３ａとの間に電流が流れないが、ユーザの指が外装材２と接触すると、人体を通じて、指と電極シート３ａ間に電流が流れて、コンデンサ３ｂの静電容量が増加する。
　コンデンサ３ｂの静電容量は、ユーザの指が電極シート３ａを覆っている面積に比例し、指が電極シート３ａを覆っている面積が増えると、コンデンサ３ｂの静電容量が増加する。
【００１６】
　したがって、ユーザの指が、ある静電スイッチ３（説明の便宜上、「静電スイッチＡ」と称する）の真上にあり、他の静電スイッチ３（説明の便宜上、「静電スイッチＢ」と称する）を覆っていない状況下では、図６に示すように、指が真上にある静電スイッチＡのコンデンサ３ｂの静電容量のみが増加して、他の静電スイッチＢのコンデンサ３ｂの静電容量は増加しない。
　これに対して、ユーザの指が静電スイッチＡと静電スイッチＢの間にあるため、ユーザの指が静電スイッチＡの一部を覆うとともに、静電スイッチＢの一部を覆う状況下では、図７に示すように、静電スイッチＡのコンデンサ３ｂの静電容量が増加するとともに、静電スイッチＢのコンデンサ３ｂの静電容量が増加する。
　ただし、ユーザの指の位置が、静電スイッチＡよりも静電スイッチＢに近く、ユーザの指が静電スイッチＡを覆っている面積よりも、静電スイッチＢを覆っている面積の方が多い場合、図８に示すように、静電スイッチＡのコンデンサ３ｂの静電容量よりも、静電スイッチＢのコンデンサ３ｂの静電容量の方が大きくなる。
【００１７】
　そこで、
接触位置特定部１２は、静電容量検出部１１が操作部１における複数の静電スイッチ３の静電容量を検出すると、複数の静電スイッチ３の静電容量から、ユーザの指が触れている操作部１上の位置を特定する。
【００１８】
　接触位置特定部１２は、
静電スイッチＸの静電容量のみが増加
静電スイッチＸの真上Ｘであると判定
　接触位置特定部１２は、
静電スイッチＹの静電容量のみが増加
静電スイッチＹの真上Ｙであると判定
　接触位置特定部１２は、
静電スイッチＺの静電容量のみが増加
静電スイッチＺの真上Ｚであると判定
【００１９】
　接触位置特定部１２は、
静電スイッチＸ，Ｙの静電容量が増加しており、静電スイッチＺの静電容量が増加していなければ
　このとき、静電スイッチＸの静電容量をＣｘ、静電スイッチＹの静電容量をＣｙとし、下記の
式（１）が成立すれば、ユーザの指が触れている位置は、静電スイッチＸと静電スイッチＹの中間点Ｍｘｙに位置していると判定
　｜Ｃｘ−Ｃｙ｜＜Ｔ１ （１）
　ただし、Ｔ１は予め設定された閾値である。
　
式（１）が成立しない場合、静電スイッチＸの静電容量Ｃｘが静電スイッチＹの静電容量Ｃｙより大きければ（Ｃｘ＞Ｃｙ）、ユーザの指が触れている位置は、静電スイッチＸと中間点Ｍｘｙとの中間点Ｍｘｙ−ｘに位置していると判定
　一方、
静電スイッチＸの静電容量Ｃｘが静電スイッチＹの静電容量Ｃｙより小さければ（Ｃｘ＜Ｃｙ）、ユーザの指が触れている位置は、静電スイッチＹと中間点Ｍｘｙとの中間点Ｍｘｙ−ｙに位置していると判定
【００２０】
　接触位置特定部１２は、
静電スイッチＹ，Ｚの静電容量が増加しており、静電スイッチＸの静電容量が増加していなければ、ユーザの指が触れている位置は、静電スイッチＹと静電スイッチＺの間にあると判定
　このとき、静電スイッチＹの静電容量をＣｙ、静電スイッチＺの静電容量をＣｚとし、
下記の式（２）が成立すれば、ユーザの指が触れている位置は、静電スイッチＹと静電スイッチＺの中間点Ｍｙｚに位置していると判定
　｜Ｃｙ−Ｃｚ｜＜Ｔ２ （２）
　ただし、Ｔ２は予め設定された閾値である。
　
式（２）が成立しない場合、静電スイッチＹの静電容量Ｃｙが静電スイッチＺの静電容量Ｃｚより大きければ（Ｃｙ＞Ｃｚ）、ユーザの指が触れている位置は、静電スイッチＹと中間点Ｍｙｚとの中間点Ｍｙｚ−ｙに位置していると判定
　
一方、静電スイッチＹの静電容量Ｃｙが静電スイッチＺの静電容量Ｃｚより小さければ（Ｃｙ＜Ｃｚ）、ユーザの指が触れている位置は、静電スイッチＺと中間点Ｍｙｚとの中間点Ｍｙｚ−ｚに位置していると判定
【００２１】
　ここでは、ユーザの指が触れている位置が、静電スイッチＸと静電スイッチＹの間、あるいは、静電スイッチＹと静電スイッチＺの間にあると判定する場合、その位置を３点のいずれかに判別する例を示したが、３点より更に詳細に位置を判別するようにしてもよいことは言うまでもない。
【００２２】
　
操作内容決定部１４は、接触位置特定部１２が、ユーザの指が触れている位置を特定すると、操作内容記録部１３に格納されているテーブルを参照して、ユーザの指が触れている位置に対応する制御対象機器の操作内容を特定する。
　ここで、図１０は操作内容記録部１３に格納されているテーブルの一例を示す説明図である。
　図１０では、ユーザの指が触れている位置が例えばＸであれば、操作内容が“火力調整”、ユーザの指が触れている位置が例えばＭｘｙであれば、操作内容が“タイマー設定”である例を示している。
【００２３】
　ＬＥＤ制御部１５は、接触位置特定部１２が、ユーザの指が触れている位置を特定すると、図５に示すように、ユーザの指が触れている位置に配置されているＬＥＤランプ４を点灯する。
　例えば、ユーザの指が触れている位置が例えばＸであれば、静電スイッチＸの真下に配置されているＬＥＤランプ４を点灯し、ユーザの指が触れている位置が例えばＭｘｙであれば、位置Ｍｘｙの真下に配置されているＬＥＤランプ４を点灯する。
　ここでは、ユーザの指が触れている位置に配置されているＬＥＤランプ４を点灯することで、操作が受け付けられた旨をユーザにフィードバックするものについて示したが、操作が受け付けられた旨を音声ガイダンスで知らせるようにしてもよい。
【００２４】
　以上で明らかなように、この実施の形態１によれば、人体との距離に応じて静電容量が変化する静電スイッチ３及びＬＥＤランプ４が透明又は半透明の外装材２の裏面側に複数個配置されている操作部１と、操作部１における複数の静電スイッチ３の静電容量を検出する静電容量検出部１１と、静電容量検出部１１により検出された複数の静電スイッチ３の静電容量から、ユーザの指が触れている操作部１上の位置を特定する接触位置特定部１２とを設け、操作内容決定部１４が接触位置特定部１２により特定された位置から制御対象機器の操作内容を決定するように構成したので、
操作部１に配置するスイッチの個数以上の操作内容の選択を受け付けることができるようになり、その結果、制御対象機器が多数の操作内容を有している場合でも、スイッチの配置数を抑えることができる効果を奏する
「【図１】
」
　したがって、引用文献５には、「制御対象機器の操作を受け付ける操作インタフェースを、複数の静電スイッチを円形に配置した操作部として、静電スイッチの静電容量から、ユーザの指が触れている操作部の位置を特定し、特定された位置から制御対象機器の操作内容を決定する」、という技術的事項が記載されていると認められる。
第５　対比・判断
１．本願発明１について
（１）対比
　本願発明１と引用発明とを対比すると、次のことがいえる。
ア　引用発明における「タッチ検出機能付き表示装置１」は、例えば、オーディオの音量や選曲、空調設備の温度や風量を調節するものであり、外部装置を制御するものであるから、本願発明１における「操作対象に対して入力を行う操作端末」に対応する。
イ　引用発明における「タッチ検出装置４０を備えた液晶パネル３０」は、明らかに入力面を有するから、本願発明１における「入力面を有するタッチパネル部」に相当する。
ウ　引用発明における「カバー材１０の被タッチ表面１０ｆ上で指が移動」することは、「タッチ検出装置４０は静電容量式」であり、当該「指」の移動が「タッチ検出装置４０」の静電容量を変化させていることから、本願発明１における「操作者による前記入力面に対する入力動作」に相当する。
　また、引用発明は、「制御手段５０は、カバー材１０の被タッチ表面１０ｆ上で指が移動したときの静電容量が変化した位置の軌跡、移動方向、移動速度を演算して記憶し、前記軌跡が凹部１１、１２、１３の平面形状に沿っていた場合、前記移動方向と前記移動速度に応じて出力する信号を変化させ、機器制御手段６０は、制御手段５０が出力する信号の変化に応じて外部装置を制御する」ものであり、すなわち、「制御手段５０」は、「カバー材１０の被タッチ表面１０ｆ上で指が移動」することに応じて「外部装置を制御する」「信号」を出力するものである。
　そうすると、引用発明における「制御手段５０」は、本願発明１における「操作者による前記入力面に対する入力動作に対応して操作信号を出力する出力部」に相当する。
エ　引用発明における「指」は、本願発明１における「接触要素」に相当する。引用発明における「タッチ検出装置４０」は静電容量式であるから、「指」と「タッチ検出装置４０を備えた液晶パネル３０」とは、電気的に接触するものである。
　また、引用発明において「カバー材１０の被タッチ表面１０ｆ上で指が移動」することは、本願発明１における「移動経路上にて移動させる移動動作」に相当する。そして、引用発明は、「指が凹部１１の縁に沿って移動した場合、静電容量が変化した位置として円形状の軌跡を記憶」するものであるから、「移動経路」が「円形状」であるものが含まれる。
　よって、本願発明１の「所定の円環状の移動経路」は上位概念では“円形状”とみることができるから、本願発明１と引用発明とは、“前記入力動作が、前記入力面に接触する接触要素を前記入力面上において所定の円形状の移動経路上にて移動させる移動動作を含”む点で一致する。
オ　引用発明は、「指が凹部１１の縁に沿って移動した場合、静電容量が変化した位置として円形状の軌跡を記憶」するものであるから、「移動経路」が「円形状」のものを含むといえる。
　この場合、「凹部１１の縁」は、「円形状」の「移動経路」の径方向外側に配置され、「指」をそれに沿って移動させるものであるから、引用発明の「凹部１１の縁」と、本願発明１の「外ガイド要素」とは、“前記移動経路の径方向外側に配置される円形状の外ガイド要素”である点で一致する。
カ　上記ア〜オから、本願発明１と引用発明は、次の点で一致し、次の点で相違する。
（一致点）
「操作対象に対して入力を行う操作端末であって、
　入力面を有するタッチパネル部と、
　操作者による前記入力面に対する入力動作に対応して操作信号を出力する出力部と、
を備え、
　前記入力動作が、前記入力面に接触する接触要素を前記入力面上において所定の円形状の移動経路上にて移動させる移動動作を含み、
　前記入力面は、
　移動経路の径方向外側に配置される円形状の外ガイド要素と、
を備えた操作端末。」
（相違点）
（相違点１）
（相違点１−１）
　「移動経路」について、本願発明１は「円環状」であるのに対し、引用発明は「円形状」であるものの、円環状であるかは明らかではない点。
（相違点１−２）
　本願発明１は、「円環状の移動経路」が、「前記移動経路の径方向外側に配置される円環状の凸部である外ガイド要素」と、「前記移動経路の径方向内側に配置される凸部であ」る「内ガイド要素」との間に挟まれて形成されるのに対し、引用発明は、「円環状の移動経路」、「内ガイド要素」を有しておらず、「外ガイド要素」もそのようなものではない点。
（相違点２）
（相違点２−１）
　本願発明１は、「前記移動経路において円周状に等角度間隔にて断続的に配列される複数の区切り部」を有し、「前記複数の区切り部はそれぞれ、前記接触要素が接触する周囲の領域から突出する凸部であ」るのに対し、引用発明は「区切り部」に対応する構成を有しない点。
（相違点２−２）
　本願発明１は、「前記移動動作において、前記接触要素が前記複数の区切り部のうち一の区切り部から隣接する区切り部へと移動することにより、予め設定されている単位移動距離に応じた１パルスの操作信号が前記出力部によって出力される」ものであるのに対し、引用発明は、「区切り部」に対応する構成を有していない点。
（２）判断
　事案に鑑み、先ず、上記相違点２（上記相違点２−１及び上記相違点２−２）について検討する。
ア　上記第４の２のとおり、引用文献２に記載された技術的事項は、タッチパッドの入力領域に凸部を形成するものであるが、当該凸部は指がその上を通過した際に信号を発生しないものである。
　上記第４の３のとおり、引用文献３に記載された技術的事項は、タッチパッドの入力領域に凹凸部を設けるものであるが、指が凸部を１つ越えるごとにカーソルを１つ移動させるもので、パルスの操作信号を出力するものではない。
　上記第４の４のとおり、引用文献４に記載された技術的事項は、タッチパネル上のタッチスイッチ表示をなぞる指が、タッチスイッチ１個分移ると、制御対象機器を制御するための所定個数のパルスを発生させることが記載されているが、タッチスイッチ表示はあくまで表示であり、凸部は形成されていない。
　上記第４の５のとおり、引用文献５に記載された技術的事項は、操作面でユーザの指が接触している位置を特定することであって、操作面に凸部を形成することや、凸部の上を指が移動するとパルスの操作信号を出力することは記載されていない。
　以上のとおりであるから、引用文献２〜５には、指を移動させる面に、指の移動に応じてパルスの操作信号を出力する凸部（「区切り部」）を設ける、という上記相違点２（上記相違点２−１及び上記相違点２−２）に係る構成について記載されていない。
イ　引用発明は、凹部の縁に沿って指を移動させた際の移動方向と移動速度に応じて外部装置を制御するものである。
　引用発明において、操作者は凹部の縁を沿わせることによって指の移動方向と移動速度を感知できるので、凹部とは別に凸部（「区切り部」）を設ける動機はない。また、引用発明において、指の移動方向と移動速度に応じて外部装置を制御する際に、移動方向と移動速度に応じた制御信号をパルスとする動機もない。
ウ　そうすると、引用発明に引用文献２〜５に記載された技術的事項を適用する動機がなく、さらに、上記アのとおり引用文献２〜５には上記相違点２に係る構成についての記載も無いから、上記相違点２に係る本願発明１の構成は、当業者であっても、引用発明、引用文献２〜５に記載された技術的事項に基づいて容易に想到し得たものではない。
　したがって、上記相違点１（上記相違点１−１及び上記相違点１−２）について判断するまでもなく、本願発明１は、当業者であっても、引用発明、引用文献２〜５に記載された技術的事項に基づいて、容易に発明できたものであるとはいえない。
２．本願発明２〜７について
　本願発明２〜７も、本願発明１の、「前記移動経路において円周状に等角度間隔にて断続的に配列される複数の区切り部」であって、「前記複数の区切り部はそれぞれ、前記接触要素が接触する周囲の領域から突出する凸部であり」、「前記移動動作において、前記接触要素が前記複数の区切り部のうち一の区切り部から隣接する区切り部へと移動することにより、予め設定されている単位移動距離に応じた１パルスの操作信号が前記出力部によって出力される」、という同一の構成を備えるものであるから、本願発明１と同じ理由により、当業者であっても、引用発明、引用文献２〜５に記載された技術的事項に基づいて、容易に発明できたものであるとはいえない。
第６　原査定について
１．特許法第２９条第２項について
　審判請求時の補正により、本願発明１〜７は「上記相違点２に係る本願発明１の構成」を有するものとなっており、当業者であっても、拒絶査定において引用された引用文献１〜５に基づいて、容易に発明できたものとはいえない。したがって、原査定の理由を維持することはできない。
第７　むすび
　以上のとおり、本願発明１〜７は、当業者が、引用発明、引用文献２〜５に記載された技術的事項に基づいて、容易に発明をすることができたものではない。したがって、原査定の理由によっては、本願を拒絶することはできない。
　また、他に本願を拒絶すべき理由を発見しない。
　よって、結論のとおり審決する。